(57)【要約】      （修正有）【課題】施工時の漏油量、ケレン作業の精度、コーキング剤の塗り付けの精度に左右されることなく油の漏れ出しを確実に防止でき、また、経年によりコーキング剤にひび割れが生じたような場合であっても油の漏れ出しを確実に防止できる、油入りの機器に用いられている配管のフランジ継手部分における漏油防止方法を提供する。【解決手段】油入りの機器に用いられている絶縁油を循環させる配管Ｈにおいて、ボルトとナットを使用して互いのフランジを接合している配管のフランジ継手部分から油が漏れ出す事態の発生を防止するもので、配管のフランジ継手部分における両側に、帯環状のケレン部分Ｋを設ける工程と、両ケレン部分Ｋの内側において、フランジ継手部分の全体とフランジ継手部分に隣接している配管部分を薄状物Ｓにより覆う工程と、薄状物Ｓの全体と薄状物Ｓの両側に位置している帯環状のケレン部分Ｋにかけて、コーキング剤Ｃを塗布する工程とから成る。【選択図】図５
2011163400.tif 000002
【特許請求の範囲】
【請求項１】
種々の油入りの機器に用いられている、絶縁油を循環させる配管において、ボルトとナットを使用して互いのフランジを接合している配管のフランジ継手部分から油が漏れ出す事態の発生を防止するもので、
配管のフランジ継手部分における両側に、帯環状のケレン部分を設ける工程と、
両ケレン部分の内側において、フランジ継手部分の全体と、フランジ継手部分に隣接している配管部分を薄状物により覆う工程と、
薄状物の全体と、薄状物の両側に位置している帯環状のケレン部分にかけて、コーキング剤を塗布する工程と、
から成ることを特徴とする、種々の油入りの機器に用いられている配管のフランジ継手部分における漏油防止方法。
【請求項２】
両ケレン部分の内側において、フランジ継手部分の全体と、フランジ継手部分に隣接している配管部分を薄状物により覆う工程は、帯状の薄状物を複数回巻き着けて薄状物を積層させた後、温風を吹き付けて積層している薄状物を癒着させるものである請求項１に記載の種々の油入りの機器に用いられている配管のフランジ継手部分における漏油防止方法。
【発明の詳細な説明】
【技術分野】
【０００１】
大容量の変圧器等の油入りの機器においては、機器の絶縁と冷却のために、絶縁油を循環させる配管が用いられている。本発明は、このような絶縁油を循環させる配管において、ボルトとナットを使用して互いのフランジを接合している配管のフランジ継手部分から油が漏れ出す事態の発生を確実に防止した、種々の油入りの機器に用いられている配管のフランジ継手部分における漏油防止方法に関するものである。
【背景技術】
【０００２】
従来より、発電所や変電所から送電される電力の電圧を変換するために、変圧器等の油入りの機器が使用されている。
【０００３】
油入りの機器としての変圧器は、交流電力の電圧の高さを、電磁誘導を利用して変換するものである。この変圧器本体の内部には、例えば、磁心とコイルが設置されており、これらの部材の絶縁と冷却のために、変圧器本体の内部に絶縁油が封入されている。
【０００４】
また、大容量の変圧器等においては、配管を介して、絶縁油を強制的に循環させているものもある。
【０００５】
このような油入りの機器に用いられている配管Ｈは、図７（ａ）に示すように、互いのフランジ部Ｆ・Ｆを当接して、ボルトとナットを使用して強固に接合している。この配管Ｈのフランジ継手部分Ｊにおいては、所定のパッキン（油密部材）Ｐを介在させて漏油を防止しているが、経年によりパッキン（油密部材）Ｐが劣化すると、図７（ｂ）に示すように、フランジ継手部分Ｊにおいて油が漏れ出してしまう事態が生じている。
【０００６】
この様な配管Ｈのフランジ継手部分Ｊにおける漏油は、設備の適正な維持、また、環境汚染を防止した適正な環境管理等の必要性から、速やかに補修しなければならない。
【０００７】
この補修措置としては、フランジ継手部分Ｊにおける劣化したパッキン（油密部材）Ｐを新しいものに交換する措置が理想であるが、設備停止の時間が長くなり、また、補修費用も高くなることから、フランジ継手部分Ｊと、フランジ継手部分Ｊに隣接した配管Ｈ部分に、コーキング剤Ｃを塗布する措置が採られている。
【０００８】
この措置は、まず、図８（ａ）に示すように、フランジ継手部分Ｊの全体と、フランジ継手部分Ｊに隣接した配管Ｈ部分について、電動の工具Ａ等を使用して塗装や錆を除去するケレン作業を行う。
【０００９】
次に、図８（ｂ）に示すように、フランジ継手部分Ｊの全体と、フランジ継手部分Ｊに隣接した配管Ｈ部分にコーキング剤Ｃを満遍なく塗布して、フランジ継手部分Ｊを含むその周囲全体を、コーキング剤Ｃによりすっぽりと包み込んでしまうのである。
【先行技術文献】
【特許文献】
【００１０】
【特許文献１】特になし
【発明の概要】
【発明が解決しようとする課題】
【００１１】
しかしながら、図８（ｂ）に示す、フランジ継手部分Ｊを含むその周囲全体を、コーキング剤Ｃによりすっぽりと包み込んでしまう従来の措置においては、コーキング剤Ｃが固まるまでの間に所定の時間を要することから、以下のような弊害が生じている。
【００１２】
即ち、フランジ継手部分Ｊにおいて漏れ出している油の量が多いときには、図９（ａ）（ｂ）に示すように、コーキング剤Ｃが固まるまでの間に、塗り付けているコーキング剤Ｃに油道が形成され、この油道を介して漏油することから、フランジ継手部分Ｊにおける油の漏れ出しを充分に防止できるものではなかった。
【００１３】
また、図８（ｂ）に示すコーキング剤Ｃを塗り付ける措置は、図８（ａ）に示すように、フランジ継手部分Ｊの全体と、フランジ継手部分Ｊに隣接した配管Ｈ部分について、電動の工具Ａ等を使用して塗装や錆を除去するケレン作業を充分に行ってからコーキング剤Ｃを塗り付けるものであるが、フランジ継手部分Ｊにおいては、細かな凹凸や狭隘な部分が数多く存在するため、電動の工具Ａ等を使用しても塗装や錆をきれいに取りきれない場合があり、油の漏れ出しを充分に防止できない要因となっていた。
【００１４】
一方、ケレン作業を必要以上に行い過ぎると、配管Ｈのフランジ継手部分Ｊ等に損傷を与えてしまうことから、ケレン作業を慎重に行わなければならず、作業員の疲労が増す要因となっていた。
【００１５】
さらに、コーキング剤Ｃの取り扱いにも熟練を要し、フランジ継手部分Ｊを含むその周囲全体に、満遍なくコーキング剤Ｃを塗り付けていない場合にも、油の漏れ出しを充分に防止することができなかった。
【００１６】
このように、図８（ｂ）に示すコーキング剤Ｃを塗り付ける従来の措置においては、漏油防止の成否が、施工時の漏油量、ケレン作業の精度、コーキング剤Ｃの塗り付けの精度に大きく左右されるため、誰もが簡単に油の漏れ出しを防止できるものではなかった。
【００１７】
加えて、コーキング剤Ｃを塗り付けた直後においては、そのコーキング剤Ｃの外観から漏油防止の成否を視認・確認することができないため、コーキング剤Ｃの内部において施工不良が存在すると、短期間のうちに油が漏れ出す事態が再発していた。
【００１８】
この様な場合、図１０に示すように、電動の工具Ａ等を使用して、フランジ継手部分Ｊを含むその周囲全体をすっぽりと包み込んだ状態で固化しているコーキング剤Ｃの全てをきれいに除去するケレン作業を行う必要があり、作業に長時間を要していた。
【００１９】
また、コーキング剤Ｃが、細かな凹凸に固着していたり、狭隘な部分に入りこんだ状態で固着しているため、コーキング剤Ｃの全てをきれいに取りきれない場合があり、その後にコーキング剤Ｃを塗り付けても、油が漏れ出す事態が再発し易かった。
【００２０】
そこで、本発明は如上のような従来存した諸事情に鑑み創出されたもので、漏油防止の成否が、施工時の漏油量、ケレン作業の精度、コーキング剤の塗り付けの精度に左右されることなく、誰もが簡単に油の漏れ出しを確実に防止でき、また、経年によりコーキング剤にひび割れが生じたような場合であっても、比較的に簡単な作業により油の漏れ出しを確実に防止できる、種々の油入りの機器に用いられている配管のフランジ継手部分における漏油防止方法を提供することを目的とする。
【課題を解決するための手段】
【００２１】
本発明に係る種々の油入りの機器に用いられている配管のフランジ継手部分における漏油防止方法は、種々の油入りの機器に用いられている、絶縁油を循環させる配管において、ボルトとナットを使用して互いのフランジを接合している配管のフランジ継手部分から油が漏れ出す事態の発生を防止するもので、
配管のフランジ継手部分における両側に、帯環状のケレン部分を設ける工程と、
両ケレン部分の内側において、フランジ継手部分の全体と、フランジ継手部分に隣接している配管部分を薄状物により覆う工程と、
薄状物の全体と、薄状物の両側に位置している帯環状のケレン部分にかけて、コーキング剤を塗布する工程と、から成ることで、上述した課題を解決した。
【００２２】
また、両ケレン部分の内側において、フランジ継手部分の全体と、フランジ継手部分に隣接している配管部分を薄状物により覆う工程は、帯状の薄状物を複数回巻き着けて薄状物を積層させた後、温風を吹き付けて積層している薄状物を癒着させるものであることで、同じく上述した課題を解決した。
【発明の効果】
【００２３】
本発明に係る種々の油入りの機器に用いられている配管のフランジ継手部分における漏油防止方法は、種々の油入りの機器に用いられている、絶縁油を循環させる配管において、ボルトとナットを使用して互いのフランジを接合している配管のフランジ継手部分から油が漏れ出す事態の発生を防止するもので、第１の工程として、配管のフランジ継手部分における両側に、帯環状のケレン部分を設ける工程を実施する。
【００２４】
このケレン部分は、配管のフラットな周面に設けるものであり、また、ケレン部分の形状も帯環状で比較的にシンプルである。
【００２５】
その為、極めて限定された部分について、集中してケレン作業を行うことが可能となり、ケレン作業の精度が向上して、施工不良が生じ難くなる。
【００２６】
また、ケレン部分は、配管のフランジ継手部分から若干離れており、フランジ継手部分にケレン作業を行うものではない。
【００２７】
その為、除去すべき塗装や錆が、細かな凹凸や狭隘な部分に入り込んだ状態で存在するのではなく、配管のフラットな周面に存在することとなるため、電動の工具等を使用せずに手作業でケレン作業を完璧に行うことができ、油の漏れ出しを充分に防止するための、いわゆる準備作業が容易となる。
【００２８】
次に、本発明においては、第２の工程として、両ケレン部分の内側において、フランジ継手部分の全体と、フランジ継手部分に隣接している配管部分を薄状物により覆う工程を実施する。
【００２９】
この薄状物は、漏れ出した油の仮止め材としての機能を発揮するものである。即ち、フランジ継手部分の全体と、フランジ継手部分に隣接している配管部分を薄状物によりすっぽりと覆っていることから、フランジ継手部分から油が漏れ出した場合であっても、その油が薄状物の内部に留められる。
【００３０】
具体的には、フランジ継手部分の全体と、フランジ継手部分に隣接している配管部分に帯状の薄状物を複数回巻き着けて薄状物を積層させた後、温風を吹き付けて積層している薄状物を癒着させることから、漏れ出した油を薄状物の内部に封じ込めて、薄状物の外側に油が漏れ出してしまう事態の発生を確実に阻止しているのである。
【００３１】
最後に、本発明においては、第３の工程として、薄状物の全体と、薄状物の両側に位置している帯環状のケレン部分にかけて、コーキング剤を塗布する工程を実施する。
【００３２】
このコーキング剤が固化したときには、内側に存在する薄状物と、薄状物の外側に存在するコーキング剤による二重の防壁が形成されることとなり、フランジ継手部分から油が漏れ出した場合であっても、その油がコーキング剤の外側に漏れ出すことが無いのである。
【００３３】
加えて、コーキング剤が固化したときには、油が漏れ出す事態の再発を、長期に渡り防止できる。
【００３４】
また、コーキング剤が完全に固化するまでには、所定の時間を要するものであるが、その間に油が漏れ出した場合であっても、コーキング剤の内側に位置している薄状物が油の仮止め材として機能するため、コーキング剤に油道が形成されるようなことが無い。
【００３５】
さらに、コーキング剤は、薄状物の全体と、薄状物の両側に位置している帯環状のケレン部分にかけて塗布されることから、コーキング剤の端部がケレン部分に強固に接着することとなる。
【００３６】
その為、コーキング剤が薄状物から&#21085;がれて落ちてしまうような事態の発生を阻止して、全体の堅牢性を維持している。また、コーキング剤の端部がケレン部分に強固に接着することから、配管とコーキング剤の接着部分から油が漏れ出すことも無い。
【００３７】
この他、本発明によれば、コーキング剤を薄状物の全体と、薄状物の両側に位置している帯環状のケレン部分にかけて、所定の厚みを有するように塗布すれば足り、熟練を要することもないため、誰もが簡単に油の漏れ出しを確実に防止することができる。
【００３８】
また、本発明によれば、作業中にフランジ継手部分から油が漏れ出した場合であっても、この油を薄状物内に留めて、コーキング剤が充分に固まるまでの時間を確保しているので、漏油防止の成否が、施工時の漏油量、ケレン作業の精度、コーキング剤の塗り付けの精度等に左右されることがなく、誰もが簡単に油の漏れ出しを防止できる。
【００３９】
さらに、本発明によれば、ケレン作業が極めて簡単であり、その後、フランジ継手部分の全体とその周囲の配管部分を薄状物で覆い、この薄状物の全体からケレン部分にかけてコーキング剤を塗布するだけであるので、全体の作業時間を極めて短くすることができる。
【００４０】
具体的には、細かな凹凸や狭隘な部分が数多く存在しているフランジ継手部分を含むその周囲に入念なケレン作業を行ってから、複雑な構成のフランジ継手部分を含むその周囲にコーキング剤を満遍なく塗り付けて、コーキング剤によりすっぽりと包み込んでしまう従来の措置に比較して、およそ半分の時間で作業を終えることができる。
【００４１】
また、薄状物の全体からケレン部分にかけてコーキング剤を塗布するだけであるので、コーキング剤の使用量も３０％削減できた。
【００４２】
この他、経年や、固化したコーキング剤に強い衝撃が与えられたとき等を要因として、コーキング剤にひびが入ったような場合、電動の工具等を使用して、コーキング剤と薄状物を除去するケレン作業を行ってから、フランジ継手部分の全体とその周囲の配管部分を薄状物で覆い、この薄状物の全体からケレン部分にかけてコーキング剤を塗布することとなる。
【００４３】
このときのケレン作業は、コーキング剤が薄状物の上に積層されていて、フランジ継手部分における細かな凹凸や狭隘な部分に入り込んでいないことから、極めて短時間の内にコーキング剤をきれいに除去できる。
【００４４】
また、薄状物とフランジ継手部分の間にも比較的に大きな空間が存在するため、極めて短時間の内にコーキング剤と薄状物をきれいに除去できる。
【００４５】
この様に、極めて簡単なケレン作業の後に、フランジ継手部分の全体とその周囲の配管部分を薄状物で覆い、この薄状物の全体からケレン部分にかけてコーキング剤を塗布することにより、油の漏れ出しの再発も確実に防止できるのである。
【図面の簡単な説明】
【００４６】
【図１】漏油防止方法における第１工程の内容を示すもので、（ａ）は配管のフランジ継手部分における両側において、ケレン部分を設ける位置をマーキングした状態の斜視図、（ｂ）はケレン作業により配管を一回りするような帯環状のケレン部分を設けた状態の斜視図である。
【図２】漏油防止方法における第２工程の内容を示すもので、（ａ）はフランジ継手部分の全体と、フランジ継手部分に隣接している配管部分を薄状物により覆っていく状態の斜視図、（ｂ）はフランジ継手部分の全体とその周囲を、薄状物により覆った状態の斜視図である。
【図３】漏油防止方法における第２工程の内容を示すもので、（ａ）はケレン部分に隣接した位置に所定のバンドを配置して、薄状物をバンドにより結束している状態の斜視図、（ｂ）はその断面図である。
【図４】漏油防止方法における第２工程の内容を示すもので、（ａ）はバンドの外側に位置している薄状物の端部を切り取り、ケレン部分を露出させている状態の斜視図、（ｂ）はその断面図である。
【図５】漏油防止方法における第３工程の内容を示すもので、（ａ）は薄状物と、薄状物の両側に位置している帯環状のケレン部分にかけてコーキング剤を塗布している状態の斜視図、（ｂ）はその断面図である。
【図６】電動の工具等を使用して、コーキング剤と薄状物を除去するケレン作業を行っている状態の斜視図、（ｂ）はその断面図である。
【図７】油入りの機器に用いられている配管の構成を示すもので、（ａ）は配管のフランジ継手部分の構成を示す斜視図、（ｂ）はフランジ継手部分において漏油している状態の断面図である。
【図８】従来の補修措置を示すもので、（ａ）はフランジ継手部分の全体と、フランジ継手部分に隣接した配管部分について、電動の工具等を使用して塗装や錆を除去するケレン作業を行っている状態の斜視図、（ｂ）はコーキング剤を塗布して、フランジ継手部分を含むその周囲全体を、コーキング剤によりすっぽりと包み込んでいる状態の斜視図である。
【図９】コーキング剤により包み込んでいる配管のフランジ継手部分において漏油する状態を示すもので、（ａ）は漏れ出している油の量が多いときに、コーキング剤が固まるまでの間に油道が形成されて行く状態の断面図、（ｂ）はその油道を介して油が漏れ出している状態の断面図である。
【図１０】電動の工具等を使用して、フランジ継手部分を含むその周囲全体を包み込んだ状態で固化しているコーキング剤を除去するケレン作業を行っている状態の断面図である。
【発明を実施するための形態】
【００４７】
本発明に係る種々の油入りの機器に用いられている配管Ｈのフランジ継手部分Ｊにおける漏油防止方法は、種々の油入りの機器に用いられている、絶縁油を循環させる配管Ｈにおいて、ボルトとナットを使用して互いのフランジＦを接合している配管Ｈのフランジ継手部分Ｊから油が漏れ出す事態の発生を防止するものである。
【００４８】
この漏油防止方法は、
第１工程…配管Ｈのフランジ継手部分Ｊにおける両側に、帯環状のケレン部分Ｋを設ける工程と、
第２工程…両ケレン部分Ｋの内側において、フランジ継手部分Ｊの全体と、フランジ継手部分Ｊに隣接している配管Ｈ部分を薄状物Ｓにより覆う工程と、
第３工程…薄状物Ｓの全体と、薄状物Ｓの両側に位置している帯環状のケレン部分Ｋにかけて、コーキング剤Ｃを塗布する工程と、から成る。
【００４９】
以下に、これらの各工程を、図面を参照しながら詳細に説明する。
【００５０】
（第１工程…配管Ｈのフランジ継手部分Ｊにおける両側に、帯環状のケレン部分Ｋを設ける工程）
まず、図１（ａ）に示すように、配管Ｈのフランジ継手部分Ｊにおける両側において、ケレン作業を行って帯環状のケレン部分Ｋを設ける位置を、線を引くマーキングＭを行って明示する。
【００５１】
このマーキングＭは、帯の幅がおよそ２ｃｍになるように行う。また、マーキングＭを行う位置は、配管ＨにフランジＦを固定している溶接部分から離れた位置とする。これは、溶接部分にケレン作業を行ってしまうと、当該溶接部分から漏油してしまう可能性があるからである。
【００５２】
具体的には、マーキングＭによる内側の線が、配管Ｈのフランジ継手部分Ｊから、およそ８ｃｍ乃至１５ｃｍ前後離れるようにする。
【００５３】
このマーキングＭを行った位置に、ケレン作業を行ってケレン部分Ｋを設ける。ケレン作業は、作業員がおよそ２ｃｍ幅のベルト状のヤスリを用いた手作業で行う。
【００５４】
このケレン作業は、図１（ｂ）に示すように、配管Ｈの鉄部が見えるまで塗装を除去するもので、ケレン部分Ｋは、配管Ｈを一回りするような帯環状に形成される。また、ケレン作業は、ケレン部分Ｋにおける配管Ｈの鉄部に、多少の傷ができる程度の粗さに仕上げる。この傷により、後述するコーキング剤Ｃとの接着力が増すのである。
【００５５】
（第２工程…両ケレン部分Ｋの内側において、フランジ継手部分Ｊの全体と、フランジ継手部分Ｊに隣接している配管Ｈ部分を薄状物Ｓにより覆う工程）
次に、両ケレン部分Ｋにおける内側の全体を、薄状物Ｓにより覆っていく。この薄状物Ｓは、漏れ出した油の仮止め材としての機能を発揮するものである。薄状物Ｓは、一般的には、柔軟性を有するフィルムやテープ等であるが、所定の伸縮性と自己癒着性を有するものを全て含んでいる。
【００５６】
例えば、薄状物Ｓが所定の幅を有する帯状のフィルムであるときの取り付け手順としては、まず、図２（ａ）１に示すように、フィルムである薄状物Ｓを、フランジ継手部分Ｊの周面に、５０回程度巻き着けていく。次に、図２（ａ）２に示すように、フランジ継手部分Ｊの左側の側面から、フランジ継手部分Ｊに隣接している配管Ｈにかけて、薄状物Ｓを５０回程度巻き着けていく。さらに、図２（ａ）３に示すように、フランジ継手部分Ｊの右側の側面から、フランジ継手部分Ｊに隣接している配管Ｈにかけて、薄状物Ｓを５０回程度巻き着けていく。尚、巻き付けの回数は、５０回に限定されるものではなく、施工時の漏油量等に応じて、作業員が好ましい巻き付けの回数を適宜選択するものである。
【００５７】
そして、図２（ｂ）に示すように、フランジ継手部分Ｊの全体と、フランジ継手部分Ｊに隣接している配管Ｈのケレン部分Ｋにかけて、積層している薄状物Ｓによりすっぽりと覆った状態とする。このとき、薄状物Ｓ同士は、ある程度癒着しているが、ヒートガン等の工具Ａを用いて薄状物Ｓの全体に温風を吹き付けることにより、積層している薄状物Ｓ全体の癒着力を向上させる。
【００５８】
次に、図３（ａ）（ｂ）に示すように、フランジ継手部分Ｊ側においてケレン部分Ｋに隣接した位置に所定のバンドＢを配置して、積層している薄状物ＳをバンドＢにより結束する。
【００５９】
この状態において、図４（ａ）（ｂ）に示すように、バンドＢの外側に位置している薄状物Ｓの端部を所定のカッターを用いて切り取り、フランジ継手部分Ｊの両側に位置しているケレン部分Ｋを露出させる。
【００６０】
（第３工程…薄状物Ｓの全体と、薄状物Ｓの両側に位置している帯環状のケレン部分Ｋにかけて、コーキング剤Ｃを塗布する工程）
最後に、図５（ａ）（ｂ）に示すように、積層している薄状物Ｓと、薄状物Ｓの両側に位置している帯環状のケレン部分Ｋにかけて、コーキング剤Ｃを塗布する。
【００６１】
このコーキング剤Ｃが完全に固化するまでには、所定の時間を要するものであるが、その間に油が漏れ出した場合であっても、コーキング剤Ｃの内側に位置する、積層している薄状物Ｓが油の仮止め材として機能するため、コーキング剤Ｃが完全に固化するまでの時間を確保して、コーキング剤Ｃに油道が形成されてしまう事態の発生を阻止している。
【００６２】
尚、第３工程としてコーキング剤Ｃを塗布するものであるが、このコーキング剤Ｃとしては、エポキシ系樹脂を用いたものや、シーリング剤と称されるもの等の、硬化剤としての性能を有する全てのものを含んでいる。
【００６３】
そして、経年や、固化したコーキング剤Ｃに強い衝撃が与えられたとき等を要因として、コーキング剤Ｃにひび割れが生じてしまったような場合、図６（ａ）に示すように、電動の工具Ａ等を使用して、コーキング剤Ｃと薄状物Ｓを除去するケレン作業を行ってから、前記した第１・第２・第３の工程を再度実施する。
【００６４】
このときのコーキング剤Ｃと薄状物Ｓを除去するケレン作業は、図６（ｂ）に示すように、コーキング剤Ｃが薄状物Ｓの上に積層されていて、フランジ継手部分Ｊにおける細かな凹凸や狭隘な部分に入り込んでいないこと、また、薄状物Ｓとフランジ継手部分Ｊの間に比較的に大きな空間が存在することから、電動の工具Ａ等を使用して、極めて短時間の内にコーキング剤Ｃと薄状物Ｓをきれいに除去できるのである。
【産業上の利用可能性】
【００６５】
本発明に係る種々の油入りの機器に用いられている配管のフランジ継手部分における漏油防止方法は、変圧器に用いられている配管のフランジ継手部分から油が漏れ出してしまう事態の発生を確実に防止することの他に、種々の油入りの機器に用いられている配管のフランジ継手部分から油が漏れ出してしまう事態の発生を確実に防止するものとして、幅広く利用することができる。
【符号の説明】
【００６６】
Ａ…工具
Ｂ…バンド
Ｃ…コーキング剤
Ｆ…フランジ部
Ｈ…配管
Ｊ…フランジ継手部分
Ｋ…ケレン部分
Ｍ…マーキング
Ｐ…パッキン（油密部材）
Ｓ…薄状物
【図１】
2011163400.tif 000003
【図２】
2011163400.tif 000004
【図３】
2011163400.tif 000005
【図４】
2011163400.tif 000006
【図５】
2011163400.tif 000007
【図６】
2011163400.tif 000008
【図７】
2011163400.tif 000009
【図８】
2011163400.tif 000010
【図９】
2011163400.tif 000011
【図１０】
2011163400.tif 000012